(57)【要約】【課題】  画面内の位置による感度の違いを補正することにより、良好な画像が得られる撮像装置を提供する。【解決手段】  高感度のフォトダイオードと低感度のフォトダイオードとを有する構造の固体撮像素子１を備えた撮像手段と、固体撮像素子１から出力される信号を処理する信号処理手段２２と、固体撮像素子１の画面内の複数箇所毎のそれぞれにおける感度の特性値が予め記憶された記憶手段２３とを有し、信号処理手段２２において固体撮像素子１から出力される信号を処理する際に、記憶手段２３に記憶された特性値が読み出されて、特性値を用いた信号処理演算が行われる撮像装置２０を構成する。【選択図】        図２ 
2005340944.tif 000002
【特許請求の範囲】
【請求項１】
高感度のフォトダイオードと低感度のフォトダイオードとを有する構造の固体撮像素子を備えた撮像手段と、
前記固体撮像素子から出力される信号を処理する信号処理手段と、
前記固体撮像素子の、画面内の複数箇所毎のそれぞれにおける感度の特性値が予め記憶された記憶手段とを有し、
前記信号処理手段において、前記固体撮像素子から出力される信号を処理する際に、前記記憶手段に記憶された前記特性値が読み出されて、前記特性値を用いた信号処理演算が行われる
ことを特徴とする撮像装置。
【請求項２】
前記感度の特性値が、１つの画素毎に、或いは複数の画素をまとめたブロック毎に、作成され、前記記憶手段に記憶されていることを特徴とする請求項１に記載の撮像装置。
【請求項３】
前記感度の特性値が、前記撮像手段の光学系の設定値に対応して、それぞれ作成され、前記記憶手段に記憶されていることを特徴とする請求項１に記載の撮像装置。
【請求項４】
前記感度の特性値は、前記箇所毎のそれぞれの感度を相対的に示す値であることを特徴とする請求項１に記載の撮像装置。
【請求項５】
前記信号処理演算は、前記特性値を用いて前記固体撮像素子から出力される信号を補正する演算であることを特徴とする請求項１に記載の撮像装置。
【請求項６】
高感度のフォトダイオードと低感度のフォトダイオードとを有する構造の固体撮像素子を備えた撮像手段を使用して、被写体の画像を作製する方法であって、
前記固体撮像素子の、画面内の複数箇所毎のそれぞれにおける感度の特性値を、予め用意しておき、
前記撮像手段により被写体の撮像を行い、
前記固体撮像素子から出力される信号に対して信号処理を行う際に、前記特性値を用いて信号処理演算を行う
ことを特徴とする撮像方法。
【請求項７】
前記感度の特性値を予め記憶手段に記憶しておき、前記信号処理を行う際に、前記記憶手段に記憶させておいた前記特性値を読み出すことを特徴とする請求項６に記載の撮像方法。
【請求項８】
前記感度の特性値は、前記箇所毎のそれぞれの感度を相対的に示す値であることを特徴とする請求項６に記載の撮像方法。
【請求項９】
前記信号処理演算は、前記特性値を用いて前記固体撮像素子から出力される信号を補正する演算であることを特徴とする請求項６に記載の撮像方法。
【発明の詳細な説明】
【技術分野】
【０００１】
本発明は、固体撮像素子を備えた、カメラ等の撮像装置に係わる。また、カメラ等の撮像手段により撮像した被写体の画像を作製する撮像方法に係わる。
【背景技術】
【０００２】
固体撮像素子を備えた、カメラ等の撮像装置において、被写体の輝度差が比較的大きい被写体を撮像することが可能になるように、ダイナミックレンジを広く（大きく）することが求められる。
例えば、屋外では、太陽が直接被写体の一部となったり、高反射率の被写体に太陽光が反射したり、高輝度の被写体が存在したりする場合等により、被写体の輝度差が比較的大きくなる。
【０００３】
そして、広いダイナミックレンジを有する固体撮像素子を実現する方法として、以下に挙げる方法が提案されている。
【０００４】
第１の方法は、画素の信号出力特性において、対数特性等の非線形性を利用して、１つの画素から広いダイナミックレンジを得るものである。
第２の方法は、２つの異なる感度特性（高感度と低感度）のフォトダイオードペアを有し、これらペアの２つのフォトダイオードからそれぞれ得られる信号を演算するものである（例えば、特許文献１参照。）。
第３の方法は、対のフォトダイオードのうちの一方の光蓄積時間を、他方の光蓄積時間と比較して短く、或いは長くして、２つのフォトダイオードからそれぞれ得られる信号を演算するものである。
第４の方法は、１つの画素を、例えば奇数フィールドにおいては短い蓄積時間で駆動させ、偶数フィールドでは比較的長い蓄積時間で駆動させて、奇数フィールドと偶数フィールドの同一画素毎の信号を演算するものである。
第５の方法は、画素毎に信号電荷の計量機能を有する構成として、計量結果を出力させるものである。
【０００５】
このうち、第２の方法を詳しく説明する。
図７に示すように、左の大きいフォトダイオード１０１Ａと右の小さいフォトダイオード１０１Ｂとのペア１０１によって１つの画素を構成する。左の大きいフォトダイオード１０１Ａは感度が高く、一方右の小さいフォトダイオードは感度が低くなる。
また、フォトダイオード１０１Ａ，１０１Ｂの大きさに対応して、上方のオンチップレンズ１０２Ａ，１０２Ｂもそれぞれ大きさが異なっている。
【０００６】
そして、これらペアの２つのフォトダイオード１０１Ａ，１０１Ｂからそれぞれ得られる信号を演算することによって、広いダイナミックレンジを実現することができる。
【０００７】
ここで、例えば、大きい（高感度の）フォトダイオード１０１Ａの感度が、小さい（低感度の）フォトダイオード１０１Ｂの感度の３倍であり、また２つのフォトダイオード１０１Ａ，１０１Ｂの飽和信号量レベルがほぼ等しいとして、画素に入射する光量と得られる信号の出力との関係を図８に示す。
【０００８】
図８に示すように、大きい（高感度の）フォトダイオード１０１Ａでは、光量１で飽和信号量レベル１０３に達する。小さい（低感度の）フォトダイオード１０１Ｂでは、光量３で飽和信号レベル１０３に達する。なお、２つのフォトダイオード１０１Ａ，１０１Ｂの飽和信号レベルは、実際には異なっていても構わない。
そして、２つのフォトダイオード１０１Ａ，１０１Ｂからそれぞれ得られる信号の両者を用いることにより、図８に示すように、光量１で飽和する大きい（高感度の）フォトダイオード１０１Ａ単独の場合と比較して、光量３までの３倍の光量に対応した出力が得られることが分かる。このようにして得られた出力から、演算を行うことにより、光量を求めることができる。
【０００９】
低照度・低光量では、高感度のフォトダイオード１０１Ａが信号の主成分となり、高輝度・高光量では、高感度のフォトダイオード１０１Ａの飽和信号レベル＋低感度のフォトダイオード１０１Ｂの信号成分が使用される。
一般的に、２つのフォトダイオード１０１Ａ，１０１Ｂの感度の差を大きくすることにより、広いダイナミックレンジに対応することができる。
【特許文献１】特開２００３−２１８３４３号公報（図１等）
【発明の開示】
【発明が解決しようとする課題】
【００１０】
しかしながら、固体撮像素子の画素の微細化が進むに従って、フォトダイオードの上方に設けられるオンチップレンズのシェーディング特性の影響が大きくなり、また固体撮像素子内における光のけられが顕著になる。
そして、オンチップレンズによるシェーディングや固体撮像素子内における光のけられの発生状況が、レンズのズーム値や絞り値によって変化する。そのため、高感度側フォトダイオードへの入射特性と、低感度側フォトダイオードへの入射特性との関係が、カメラレンズのズーム値や絞り値によって、変化してしまうことになる。
【００１１】
特に、画面周辺部においては、画面中央部と比較して、オンチップレンズのシェーディングや光のけられが発生しやすいため、カメラレンズのズーム値や絞り値によって、高感度フォトダイオードと低感度フォトダイオードの感度特性（２つのフォトダイオードの感度比特性）が大きく異なってしまうことになる。
従って、正しい演算を行うことが困難であった。
【００１２】
この問題点を、図９〜図１１を参照して説明する。
図９に平面図を示すように、図示しないが、マトリクス状に配置された画素と、各画素のフォトダイオードからの信号電荷を転送する垂直転送レジスタとを有する撮像領域５２、水平転送レジスタ５３、出力部５４を備えた固体撮像素子５１において、各画素が、図７に示したと同様に、感度の異なる２つのフォトダイオードのペアにより構成されているものとする。
そして、撮像領域５２内において、画面中央部の画素のフォトダイオードのペア６１（６１Ａ，６１Ｂ）と、画面周辺部（撮像領域５２の右端部）の画素のフォトダイオードのペア６２（６２Ａ，６２Ｂ）について考える。
【００１３】
この場合、図１０Ａに示すように、画面中央部の画素のフォトダイオードのペア６１Ａ，６１Ｂにおいては、入射光は基板面に垂直な成分が多く、オンチップレンズ６３Ａ，６３Ｂを通過した光は、一般的に開口の大きい高感度のフォトダイオード６１Ａに対しても、一般的に開口の小さい低感度のフォトダイオード６１Ｂに対しても、ほぼ集光されて、それぞれのフォトダイオード６１Ａ，６１Ｂにおいて光電変換される。
【００１４】
一方、図１０Ｂに示すように、画面周辺部の画素のフォトダイオードのペア６２Ａ，６２Ｂにおいては、入射光に斜め成分が多くなり、オンチップレンズ６３Ａ，６３Ｂを通過した光は、開口の大きい高感度のフォトダイオード６２Ａでは開口内に集光され易いのに対して、開口の小さい低感度のフォトダイオード６２Ｂでは開口から一部外れて集光率が低下してしまう。
【００１５】
このときの、画面中央部の画素と画面周辺部の画素におけるそれぞれの光量と出力との関係を図１１に示す。図１１では、画面中央部の画素を実線で示し、画面周辺部の画素を破線で示している。
図１１から、画面周辺部の画素６２Ａ，６２Ｂでは、特に低感度のフォトダイオード６２Ｂにおいて、上述した集光率の低下のために出力が低下してしまうことにより、飽和信号量レベル６４に達する光量等、光量と出力との関係が画面中央部の画素６１Ａ，６１Ｂとは違ってきてしまうことがわかる。
【００１６】
上述した問題の解決のために、本発明においては、画面内の位置による感度の違いを補正することにより、良好な画像が得られる撮像装置及び撮像方法を提供するものである。
【課題を解決するための手段】
【００１７】
本発明の撮像装置は、高感度のフォトダイオードと低感度のフォトダイオードとを有する構造の固体撮像素子を備えた撮像手段と、固体撮像素子から出力される信号を処理する信号処理手段と、固体撮像素子の画面内の複数箇所毎のそれぞれにおける感度の特性値が予め記憶された記憶手段とを有し、信号処理手段において固体撮像素子から出力される信号を処理する際に、記憶手段に記憶された特性値が読み出されて、特性値を用いた信号処理演算が行われるものである。
【００１８】
また、上記本発明の撮像装置において、感度の特性値が、撮像手段の光学系の設定値（例えば絞り値やズーム倍率）に対応して、それぞれ作成され、記憶手段に記憶されている構成とすることが可能である。
【００１９】
本発明の撮像方法は、高感度のフォトダイオードと低感度のフォトダイオードとを有する構造の固体撮像素子を備えた撮像手段を使用して、被写体の画像を作製する方法であって、固体撮像素子の画面内の複数箇所毎のそれぞれにおける感度の特性値を予め用意しておき、撮像手段により被写体の撮像を行い、固体撮像素子から出力される信号に対して信号処理を行う際に、特性値を用いて信号処理演算を行うものである。
【００２０】
上述の本発明の撮像装置の構成によれば、撮像手段が、高感度のフォトダイオードと低感度のフォトダイオードとを有する構造の固体撮像素子を備えているため、高感度のフォトダイオードと低感度のフォトダイオードとを用いて、広いダイナミックレンジを実現することができ、輝度の差が大きい被写体を撮像することが可能になる。
そして、固体撮像素子の画面内の複数箇所毎のそれぞれにおける感度の特性値が記憶手段に予め記憶されており、信号処理手段において固体撮像素子から出力される信号を処理する際に、記憶手段に記憶された特性値が読み出されて、特性値を用いた信号処理演算が行われることにより、読み出された特性値を用いて、画面内の位置による感度の差を補正して、差を低減することが可能になる。
【００２１】
また、上記本発明の撮像装置において、感度の特性値が、撮像手段の光学系の設定値（例えば絞り値やズーム倍率）に対応して、それぞれ作成され、記憶手段に記憶されている構成としたときには、感度の特性値が撮像手段の光学系の設定値（例えば絞り値やズーム倍率）に対応して、それぞれ作成されているため、光学系の設定値に適応して、より効果的に、画面内の位置による感度の差の補正を行うことが可能になる。
【００２２】
上述の本発明の撮像方法によれば、高感度のフォトダイオードと低感度のフォトダイオードとを有する構造の固体撮像素子を備えた撮像手段を使用することにより、広いダイナミックレンジを実現することができ、輝度の差が大きい被写体を撮像することが可能になる。
そして、固体撮像素子の画面内の複数箇所毎のそれぞれにおける感度の特性値を予め用意しておき、撮像手段により被写体の撮像を行い、固体撮像素子から出力される信号に対して信号処理を行う際に、特性値を用いて信号処理演算を行うことにより、特性値によって画面内の位置による感度の差を補正して、差を低減することが可能になる。
【発明の効果】
【００２３】
上述の本発明の撮像装置及び撮像方法によれば、ダイナミックレンジを広くして、輝度の差が大きい被写体を撮像することが可能になる。
また、本発明の撮像装置及び撮像方法によれば、画面内の位置による感度の差を補正して、低減することができるため、良好な画質の画像を得ることが可能になる。
【００２４】
従って、本発明の撮像装置によれば、ダイナミックレンジが広く、かつ画質が良好な画像を得ることが可能である、高性能の撮像装置を実現することができる。
【発明を実施するための最良の形態】
【００２５】
まず、本発明に適用する固体撮像素子の一形態の概略構成図（平面図）を図１に示す。
この固体撮像素子１は、図示しないが、マトリクス状に配置された画素と、各画素のフォトダイオードからの信号電荷を転送する垂直転送レジスタとを有する撮像領域２、水平転送レジスタ３、出力部４を備えた構成である。
【００２６】
また、各画素は、高感度のフォトダイオードと低感度のフォトダイオードとのペアにより構成されている。
即ち、この固体撮像素子１は、図９に示した固体撮像素子５１と同様の構成である。
そして、ここでは、図９と同様に、画面中央部の画素のペアのフォトダイオード１１（１１Ａ，１１Ｂ）と、画面周辺部（撮像領域２の右端部）の画素のペアのフォトダイオード１２（１２Ａ，１２Ｂ）とに注目する。
【００２７】
続いて、本発明の一実施の形態として、撮像装置の概略構成図（ブロック図）を図２に示す。
この撮像装置２０は、レンズ等から成るカメラ光学系２１と、図１に示した構成の固体撮像素子１と、固体撮像素子１で得られた信号の演算が行われる信号演算部（信号処理手段）２２と、演算の結果や演算用のデータが記憶される記憶手段２３とを備えている。
また、図２では、撮像装置２０の後段に表示部（表示装置）２５が接続されている。
【００２８】
この撮像装置２０により、被写体４０を撮像したときには、概ね次のように動作がなされる。
まず、被写体４０からの光Ｌは、カメラ光学系２１を通過して集光され、固体撮像素子１に入射する。
そして、固体撮像素子１の各画素のフォトダイオードにおいて、光電変換が行われることによって信号電荷が得られ、この信号電荷を転送して電圧変換することによって、信号出力が得られる。
この固体撮像素子１から出力される信号出力、即ち生の信号（ＲＡＷ信号）３０は、信号処理手段２２に送られて演算される。
こうして得られた画像信号が表示部（表示装置）２５に送られて、表示部（表示装置）２５に被写体４０の画像が表示される。
【００２９】
なお、図２中、太線の矢印は、実際の光や信号の流れではなく、シェーディング特性の影響が及ぶことを模式的に示すものである。そして、３１はカメラ光学系２１におけるシェーディング特性の影響を、３２は固体撮像素子１におけるシェーディング特性の影響を、それぞれ示している。
【００３０】
そして、図３Ａ及び図３Ｂは、カメラ光学系２１のシェーディング特性として、画面内のポジションと、透過光量／入射光量の比率との関係を示す図である。図３Ａは絞り値が大きい場合（Ｆ＝１１）であり、図３Ｂは絞り値が小さい場合（Ｆ＝１．４）である。
絞り値が大きい場合も、絞り値が小さい場合も、画面中央部は透過光量が多いが、画面周辺部は透過光量が少なくなっている。
【００３１】
また、図４Ａ及び図４Ｂは、固体撮像素子１のシェーディング特性として、画面内のポジションと、出力／光量の比率との関係を示す図である。図４Ａは絞り値が大きい場合（Ｆ＝１１）であり、図４Ｂは絞り値が小さい場合（Ｆ＝１．４）である。
絞り値が大きい場合には、ポジションによる出力差が少ない。一方、絞り値が小さい場合には、画面周辺部において、光のけられを生じやすくなるため、出力が小さくなっている。
【００３２】
本実施の形態においては、特に、画面内の複数箇所のポジションにおけるシェーディング特性による感度の特性値を、撮像装置２０内の記憶手段２３に予めデータとして記憶しておいて、信号処理手段２２で固体撮像素子１から出力される生の信号（ＲＡＷ信号）３０に対して演算を行う際に、記憶手段２３に記憶されている特性値のデータを読み出して演算に使用する。
【００３３】
記憶手段２３に予め記憶しておくデータは、図３Ａや図３Ｂに示したカメラ光学系２１のシェーディング特性の影響３１と、図４Ａや図４Ｂに示した固体撮像素子１のシェーディング特性の影響３２とを、併せて補正することができるように、画面内の複数箇所のポジションのそれぞれにおいて作成しておく。
即ち、記憶手段２３に予め記憶しておくデータは、例えば複数箇所のポジションのそれぞれの感度を相対的に示す値とする。
そして、作成したデータを、例えば、ルックアップテーブルとして、記憶手段２３に記憶しておく。
【００３４】
記憶手段２３の構成は、特に限定されないが、例えばハードディスクドライブや半導体メモリ等の記憶媒体・記憶装置が考えられる。
【００３５】
上述のように、予め記憶手段２３に記憶しておいた特性値のデータを読み出して、これを用いて信号処理手段２２で固体撮像素子１から出力される生の信号（ＲＡＷ信号）３０に対して演算を行うことにより、固体撮像素子１から出力される生の信号（ＲＡＷ信号）３０の画面内のポジションによる感度の違いを補正することができる。
【００３６】
ここで、本実施の形態において、信号演算を行った後の、画面中央部の画素と画面周辺部の画素におけるそれぞれの光量と出力との関係を図５に示す。図５では、画面中央部の画素を実線で示し、画面周辺部の画素を破線で示している。また、飽和信号量レベル１３を鎖線で示している。
【００３７】
図５から、画面内のポジションによる感度の違いが、補正により低減されるため、画面周辺部の画素１２Ａ，１２Ｂでも、光量と出力との関係が画面中央部の画素１１Ａ，１１Ｂとほとんど同様になることがわかる。
【００３８】
次に、具体的な特性値を用いて、演算方法を説明する。
図６に示すように、画面４１内に１〜９の位置を設定する。
そして、表１に示すように、カメラレンズの各Ｆ値について、図６の１〜９の各位置に対応する特性値のテーブルを作成しておく。
【００３９】
表１は、Ｆ＝１．４，Ｆ＝５．６，Ｆ＝１１，Ｆ＝１６の４つのＦ値について、画面４１中の各位置（１〜９）に対応する、高感度のフォトダイオードと低感度のフォトダイオードとのそれぞれの特性値をテーブルとして作成している。この特性値は、前述したように、カメラ光学系２１のシェーディング特性と固体撮像素子１のシェーディング特性とを併せて補正するものである。
【００４０】
【表１】
2005340944.tif 000003
【００４１】
表１の特性値から、例えば絞り値Ｆ＝５．６のときには、次のように演算を行う。
ここで、高感度のフォトダイオードの出力をＯＰＡ、低感度のフォトダイオードの出力をＯＰＢ、高感度のフォトダイオードの感度が低感度のフォトダイオードの感度の１０倍であるとする。
例えば、画面４１の５の位置（中央部）では、特性値がいずれも１．０であるので、ＯＰＡ＋１０×ＯＰＢを輝度信号として出力する。
また、例えば、画面４１の４の位置（左端部）では、高感度のフォトダイオードの特性値が０．８５で、低感度のフォトダイオードの特性値が０．６であるので、ＯＰＡ／０．８５＋１０×ＯＰＢ／０．６を輝度信号として出力する。
さらに、例えば、画面４１の２の位置（上端部）では、高感度のフォトダイオードの特性値が０．９で、低感度のフォトダイオードの特性値が０．７であるので、ＯＰＡ／０．９＋１０×ＯＰＢ／０．７を輝度信号として出力する。
【００４２】
なお、図６の１〜９の位置の間にある画素のように、表中にない位置の特性値については、表にある複数の位置の特性値を用いて演算することにより、近似値を求めて補間することが可能である。
【００４３】
記憶手段２３に予め記憶させておくシェーディングによる感度の特性値のデータは、撮像領域に対し、画素毎にそれぞれ特性値を作成しておいてもよいし、画素の集まりであるブロック毎に特性値を作成しておいてもよい。
このうち、ブロック毎にデータを記憶させる場合には、さらに、補正演算に先立ち、画素毎のシェーディング補正が画面内で滑らかに行われるように、画素位置に対応した補間を行うことが好ましい。
【００４４】
なお、表１では、絞り値Ｆの大きさに応じて、それぞれ特性値を作成しているが、ズーム倍率等、その他のユーザー設定値の大きさに応じて、それぞれ特性値を作成することも可能である。
【００４５】
上述の本実施の形態によれば、カメラ光学系２１のシェーディング特性による影響３１及び固体撮像素子１のシェーディング特性による影響３２を併せて補正するように、予め画面のポジション毎にそれぞれ求めておいた特性値を、記憶手段２３に記憶しておき、信号処理手段２２で固体撮像素子１からの信号出力（生の信号）３０を演算する際に、記憶手段２３に記憶しておいた特性値を読み出して、固体撮像素子１からの信号出力（生の信号）３０を補正する演算を行うので、画面内の位置による感度のばらつきを低減することができる。
【００４６】
また、固体撮像素子１が、高感度のフォトダイオード１１Ａ，１２Ａと低感度のフォトダイオード１１Ｂ，１２Ｂとのペアにより画素を構成しているため、広いダイナミックレンジを実現することができ、輝度の差が大きい被写体を撮像しても、良好な画質の画像を得ることが可能になる。
【００４７】
従って、本実施の形態によれば、ダイナミックレンジが広く、かつ画質が良好な画像を得ることが可能である、高性能の撮像装置を実現することができる。
【００４８】
なお、上述の実施の形態では、固体撮像素子１を備えた撮像手段から成る撮像装置２０の内部に、信号処理手段２２や記憶手段２３等を設けた構成であったが、その他の構成も可能である。
例えば、撮像装置の外部にある信号処理装置や記憶装置等を接続して、撮像装置と合わせて撮像システムを構成することも可能である。
【００４９】
また、上述の実施の形態では、表示部（表示装置）２５が撮像装置２０の外部に接続されている構成であったが、表示部を撮像装置に内蔵させた構成も可能である。
【００５０】
また、本発明の撮像方法では、撮像手段による被写体の撮像の過程と、信号処理手段による固体撮像素子の出力信号の演算処理の過程とを、連続して行う場合も、別々に行う場合も、いずれも可能である。
そして、これらの過程を連続して行う場合には、例えば、カメラの絞り値やズーム倍率を自動的に検知できるようにして、この検知した結果に基づいて、予め用意してある特性値の中から、その絞り値やズーム倍率に対応する特性値を自動的に選んで読み出すようにすることが考えられる。
一方、これらの過程を別々に行う場合には、撮像の過程で得られた生の信号をいったん記録媒体や記録装置に記録する。このとき、例えば、カメラの絞り値やズーム倍率のデータを、生の信号と共に、（例えばいわゆるメタデータとして）記録媒体や記録装置に記録しておくことが考えられる。これにより、後で生の信号に対して演算処理の過程を行う際に、カメラの絞り値やズーム倍率のデータを読み出して、これをインデックスとして対応する特性値を選ぶことができる。
【００５１】
本発明は、上述の実施の形態に限定されるものではなく、本発明の要旨を逸脱しない範囲でその他様々な構成が取り得る。
【図面の簡単な説明】
【００５２】
【図１】本発明に適用する固体撮像素子の一形態の概略構成図（平面図）である。
【図２】本発明の撮像装置の一実施の形態の概略構成を示すブロック図である。
【図３】画面内のポジションと、透過光量／入射光量の比率との関係を示す図である。  Ａ  絞り値が大きい場合である。  Ｂ  絞り値が小さい場合である。
【図４】画面内のポジションと、出力／光量の比率との関係を示す図である。  Ａ  絞り値が大きい場合である。  Ｂ  絞り値が小さい場合である。
【図５】本発明の撮像装置の一実施の形態における、信号演算を行った後の出力と光量との関係を示す図である。
【図６】画面中の位置を示す図である。
【図７】２つのフォトダイオードのペアにより構成された画素の概略断面図である。
【図８】図７の画素における光量と出力との関係を示す図である。
【図９】２つのフォトダイオードのペアにより画素が構成された固体撮像素子の概略平面図である。
【図１０】Ａ  図９の固体撮像素子の画面中央部の画素の概略断面図である。  Ｂ  図９の固体撮像素子の画面周辺部の画素の概略断面図である。
【図１１】図９の固体撮像素子における画面中央部の画素と画面周辺部の画素におけるそれぞれの光量と出力との関係を示す図である。
【符号の説明】
【００５３】
１  固体撮像素子、２  撮像領域、１１Ａ，１２Ａ  高感度のフォトダイオード、１１Ｂ，１２Ｂ  低感度のフォトダイオード、２０  撮像装置、２１  カメラ光学系、２２  信号演算部（信号処理手段）、２３  記憶手段、２５  表示部（表示装置）、４１  画面
【図１】
2005340944.tif 000004
【図２】
2005340944.tif 000005
【図３】
2005340944.tif 000006
【図４】
2005340944.tif 000007
【図５】
2005340944.tif 000008
【図６】
2005340944.tif 000009
【図７】
2005340944.tif 000010
【図８】
2005340944.tif 000011
【図９】
2005340944.tif 000012
【図１０】
2005340944.tif 000013
【図１１】
2005340944.tif 000014